(57)【要約】  センサケーブル支持装置を説明する。センサケーブル支持装置は、ウェアラブル監視装置に実装して、センサケーブルの近位部分を支持し、近位部分を感知回路と電気的に接続するために使用することができる。センサケーブルの遠位部分は、人間の皮膚の中へ挿入可能である。センサケーブル支持装置は、一対の開口部を画定する剛体と、剛体に取り付けられた一組の脚部と、一対の開口部と一組の脚部の一対の脚部の遠位端との間に延在する一対の電気トレースと、を含むことができる。一対の開口部は、センサケーブルを本体に機械的に保持し、センサケーブルを電気トレースと電気的に接続する一対のパックを受容するようにサイズ決定および構成することができる。
2021519161.tif 000002
【特許請求の範囲】
【請求項１】
センサケーブルを支持するための支持装置であって、前記支持装置が、
一対の開口部を画定する剛体であって、各開口部が、導電性パックを受容するようにサイズ決定および構成され、前記剛体が、前記センサケーブルの近位端を支持し、前記センサケーブルと監視装置の感知回路とを電気的に結合するように構成される、剛体と、
前記剛体に接続され、前記剛体の底部側から離れて延在する一組の剛脚部と、
前記一対の開口部の第１の開口部と前記一組の剛脚部の第１の脚部の遠位端とを電気的に結合する第１の電気トレースと、
前記一対の開口部の第２の開口部と前記一組の剛脚部の第２の脚部の遠位端とを電気的に結合する第２の電気トレースと、を備える、支持装置。
【請求項２】
前記剛体の前記底部側に、または前記底部側の反対側にある前記剛体の頂部側に溝が形成され、前記溝が、前記センサケーブルを収容するようにサイズ決定および構成される、請求項１に記載の支持装置。
【請求項３】
前記溝が、
前記第１の開口部に隣接して配置された第１の領域であって、前記第１の領域が、第１の断面積を有し、第１のワイヤを含む前記センサケーブルの第１の部分を収容するようにサイズ決定された、第１の領域と、
前記第２の開口部に隣接して配置された第２の領域であって、前記第２の領域が、第２の断面積を有し、第２のワイヤを含む前記センサケーブルの第２の部分を収容するようにサイズ決定された、第２の領域と、を画定し、前記第１の断面積が、前記第２の断面積と異なる、請求項２に記載の支持装置。
【請求項４】
前記一対の開口部の間に配置された電気保護構造をさらに備える、請求項１〜３のいずれか一項に記載の支持装置。
【請求項５】
前記電気保護構造が、前記一組の剛脚部の第３の脚部の遠位端まで延在する第３の電気トレースを備える、請求項４に記載の支持装置。
【請求項６】
前記電気保護構造が、前記剛体内に形成され、前記剛体を通って延在する保護開口部を備える、請求項４に記載の支持装置。
【請求項７】
前記一組の剛脚部が、前記剛体と一体的である、請求項１〜６のいずれか一項に記載の支持装置。
【請求項８】
前記一対の開口部が、前記剛体を通って延在する、請求項１〜７のいずれか一項に記載の支持装置。
【請求項９】
前記剛体が、導電めっきを前記一対の開口部内に備える、請求項１〜８のいずれか一項に記載の支持装置。
【請求項１０】
前記第１の開口部が、前記第２の開口部から電気的に絶縁される、請求項１〜９のいずれか一項に記載の支持装置。
【請求項１１】
前記剛体および前記一組の剛脚部が、射出成形技術を使用して第１の材料から形成されたことを特徴とし、
前記第１および第２の電気トレースが、レーザ直接構造化技術を使用して形成されたことを特徴とし、前記第１および第２の電気トレースが、第２の材料を含む、請求項１〜１０のいずれか一項に記載の支持装置。
【請求項１２】
前記剛体が、人の皮膚に挿入可能である前記センサケーブルの遠位端に位置付けるようにさらに構成される、請求項１〜１１のいずれか一項に記載の支持装置。
【請求項１３】
ウェアラブル監視装置であって、前記ウェアラブル監視装置が、
前記ウェアラブル監視装置を人の皮膚に位置付けるための外面を有するハウジング内に配置されたプリント回路基板と、
前記プリント回路基板に接続された１つ以上の電子構成要素を備える感知回路と、
センサホルダシステムと、を備え、前記センサホルダシステムが、
本体であって、前記本体の一方の側部から延在する一組の脚部を有し、前記センサホルダシステムが前記一組の脚部を介して前記プリント回路基板に物理的に結合され、前記本体がその中に形成された一対の導電性開口部を有し、前記一対の導電性開口部が前記プリント回路基板に電気的に結合される、本体と、
センサケーブルであって、前記感知回路に電気的に結合され、第１の電気接続を形成するために前記一対の導電性開口部の第１の導電性開口部と電気的に接触している第１の部分、および第２の電気接続を形成するために前記一対の導電性開口部の第２の導電性開口部と電気的に接触している第２の部分を含む、センサケーブルと、
一対のパックであって、前記一対のパックの第１のパックが前記第１の導電性開口部と電気的に接触している前記第１の部分を機械的に保持し、前記一対のパックの第２のパックが前記第２の導電性開口部と電気的に接触している前記第２の部分を機械的に保持するように前記一対の導電性開口部に設置された、一対のパックと、を備える、ウェアラブル監視装置。
【請求項１４】
前記一対のパックが、導電材料から形成される、請求項１３に記載のウェアラブル監視装置。
【請求項１５】
前記一対のパックが、前記一対の導電性開口部に設置されたときに、前記第１の電気接続および前記第２の電気接続に関与する、請求項１４に記載のウェアラブル監視装置。
【請求項１６】
前記一対のパックの各パックが、スリットを画定し、
前記第１のパックが前記第１の導電性開口部に設置されたときに、前記センサケーブルの前記第１の部分が、前記第１のパックの第１のスリット内で保持され、
前記第２のパックが前記第２の導電性開口部に設置されたときに、前記センサケーブルの前記第２の部分が、前記第２のパックの第２のスリット内で保持される、請求項１３〜１５のいずれか一項に記載のウェアラブル監視装置。
【請求項１７】
前記センサケーブルが、前記ハウジングの前記外面を超えた位置まで延在する遠位端を備える、請求項１３〜１６のいずれか一項に記載のウェアラブル監視装置。
【請求項１８】
前記センサケーブルの前記第１の部分が、前記第１の導電性開口部を横断して延在し、２つ以上の位置において前記第１の導電性開口部と物理的に接触している、請求項１３〜１７のいずれ一項に記載のウェアラブル監視装置。
【請求項１９】
前記センサケーブルが、前記第１の部分に対応する第１の電極と、前記第２の部分に対応する第２の電極と、を備える、請求項１３〜１８のいずれ一項に記載のウェアラブル監視装置。
【請求項２０】
前記センサホルダシステムが、前記一対の導電性開口部の間に配置された電気保護構造をさらに備え、前記電気保護構造が、前記本体に形成された電気トレースまたは開口部のうちの少なくとも１つを備える、請求項１３〜１９のいずれか一項に記載のウェアラブル監視装置。
【請求項２１】
前記一対の導電性開口部が、前記一組の脚部の一対の脚部の遠位端と前記一対の導電性開口部との間に延在する一対の電気トレースを介して前記プリント回路基板に電気的に結合される、請求項１３〜２０のいずれか一項に記載のウェアラブル監視装置。
【請求項２２】
前記感知回路が、前記人の皮膚に挿入された前記センサケーブルの一対の電極を介して前記人に関する生物学的情報を検知するように構成される、請求項１３〜２１のいずれか一項に記載のウェアラブル監視装置。
【請求項２３】
前記ハウジングが、頂部エンクロージャと、底部エンクロージャと、を備え、前記外面が、前記底部エンクロージャに画定される、請求項１３〜２２のいずれか一項に記載のウェアラブル監視装置。
【請求項２４】
前記頂部エンクロージャが、前記一対のパックの外方に面する側と物理的に接触し、前記底部エンクロージャが、前記プリント回路基板の底部側と物理的に接触する、請求項２３に記載のウェアラブル監視装置。
【請求項２５】
分析物監視システムであって、前記分析物監視システムが、
人の皮膚に挿入可能な第１の部分を含むセンサケーブルであって、前記第１の部分が、グルコース情報を生成するための手段を含む、センサケーブルと、
センサホルダシステムと、を備え、前記センサホルダシステムが、
前記センサケーブルの第２の部分を物理的に整列させるための整列手段と、
前記センサケーブルの前記第２の部分を物理的に保持するための保持手段と、
前記整列手段および前記保持手段を物理的に支持するための支持手段と、
前記センサケーブルの前記第２の部分を、前記人の分析物レベルを決定するためのプリント回路基板に配置された回路に電気的に結合するための結合手段と、を備える、分析物監視システム。
【請求項２６】
前記整列手段が、溝または一組の対向するタブの少なくとも１つを画定する、請求項２５に記載の分析物監視システム。
【請求項２７】
前記保持手段が、前記支持手段と物理的に結合するように構成された一対の導電性パックを備える、請求項２５または２６に記載の分析物監視システム。
【請求項２８】
前記支持手段が、剛体と前記プリント回路基板との間に延在する一組の剛脚部に接続された前記剛体を備える、請求項２５〜２７のいずれか一項に記載の分析物監視システム。
【請求項２９】
前記結合手段が、前記支持手段に配置された１つ以上の電気トレースを備える、請求項２５〜２８のいずれか一項に記載の分析物監視システム。
【請求項３０】
前記グルコース情報を生成するための前記手段が、前記人の前記皮膚の下の間質液内に存在するグルコースの量に対応する電気信号を生成するように構成された１つ以上の電極を備える、請求項２５〜２９のいずれか一項に記載の分析物監視システム。
【請求項３１】
センサケーブル支持システムであって、
センサケーブル支持装置であって、
一対の導電性開口部を有する本体と、
前記本体の底部側から離れて延在する一組の脚部と、
前記一対の導電性開口部と前記一組の脚部の一対の脚部の遠位端との間に延在する一対の電気トレースと、を備える、センサケーブル支持装置と、
センサケーブルであって、
第１の電気接続を形成するために前記一対の導電性開口部の第１の導電性開口部と電気的に接触している第１の部分と、
第２の電気接続を形成するために前記一対の導電性開口部の第２の導電性開口部と電気的に接触している第２の部分と、を備える、センサケーブルと、
一対のパックであって、前記一対のパックの第１のパックが前記第１の導電性開口部と電気的に接触している前記第１の部分を機械的に保持し、前記一対のパックの第２のパックが前記第２の導電性開口部と電気的に接触している前記第２の部分を機械的に保持するように、前記一対の導電性開口部に設置された一対のパックと、を備える、センサケーブル支持システム。
【請求項３２】
前記一組の脚部が、プリント回路基板に取り付けるように適合される、請求項３１に記載のセンサケーブル支持システム。
【請求項３３】
前記センサケーブルの前記第１の部分が、第１の断面積によって画定され、前記センサケーブルの前記第２の部分が、前記第１の断面積よりも大きい第２の断面積によって画定される、請求項３１または３２に記載のセンサケーブル支持システム。
【請求項３４】
一対の溝が、前記本体の頂部側に形成され、前記一対の溝の第１の溝が、前記センサケーブルの前記第１の部分を受容するようにサイズ決定および構成され、前記一対の溝の第２の溝が、前記センサケーブルの前記第２の部分を受容するようにサイズ決定および構成される、請求項３３に記載のセンサケーブル支持システム。
【請求項３５】
前記センサケーブル支持装置およびプリント回路基板がプリント回路基板製造技術を使用して形成されるように、前記センサケーブル支持装置が、前記プリント回路基板に一体化される、請求項３１〜３４のいずれか一項に記載のセンサケーブル支持システム。
【発明の詳細な説明】
【技術分野】
【０００１】
関連出願の相互参照
本出願は、２０１８年３月２８日に出願された「Ｓｅｎｓｏｒ  Ｃａｂｌｅ  Ｓｕｐｐｏｒｔ  Ｄｅｖｉｃｅ  Ｉｎｃｌｕｄｉｎｇ  Ｍｅｃｈａｎｉｃａｌ  Ｃｏｎｎｅｃｔｏｒｓ」と題する米国仮特許出願第６２／６４９，３５０号に対する優先権を主張するものであり、参照によりその全体が本明細書に組み込まれる。
【背景技術】
【０００２】
ウェアラブル監視装置用のセンサなどの侵襲的バイオセンサは、患者の皮膚の中へ挿入可能である細いセンサワイヤまたは電極を含む。感知回路は、細いワイヤを介して、患者に関する生体情報を読み込む。いくつかの装置を使用するために、患者または医療専門家は、センサワイヤを感知回路に接続することが必要である。例えば、第１のステップ中に、センサワイヤを患者の皮膚に埋め込むことができ、第２のステップ中に、センサワイヤを監視装置に接続することができる。この２ステップの手法は、一部の患者が単独で行うには非常に複雑な場合があり、および／または、医療専門家に行わせるには費用がかかりすぎる場合がある。加えて、かかる装置は、ワイヤおよび感知回路が、バイオセンサの性能に大きな影響を与え得る潜在的湿気に露出され得る、複数の開口部を含み得る。
【０００３】
センサワイヤを監視装置内に予め組み立てることが可能である。例えば、センサワイヤの近接する一部分を監視装置内のプリント回路基板にはんだ付けまたは溶接することができる。しかしながら、はんだ付けおよび溶接と関連付けられるかかる高い局所温度に対するセンサワイヤの露出は、特に、センサワイヤが膜で被覆されている場合に、センサワイヤに損傷を与える場合がある。加えて、かかる手法は、はんだ付けおよび／または溶接の結果として、不適切に剛性であるセンサワイヤをもたらし得る。
【０００４】
上記の考慮事項に加えて、監視装置のサイズは、ウェアラブルデバイスに対する実用上の考慮事項である。必要な感知回路、電源などを収容して、生物情報を処理するために、ウェアラブル監視装置は、作業装置を形成するためにともに結合される複数の部品を含むことができる。複数の部品を使用することは、装置を嵩高くするだけでなく、湿気の進入を可能にする複数の領域（例えば、部品間のシール）も作成する。
【発明の概要】
【０００５】
１つの一般的な態様は、センサケーブルを支持するための支持装置を含み、支持装置は、一対の開口部を画定する剛体を含む。各開口部は、導電性パックを受容するようにサイズ決定および構成される。剛体は、センサケーブルの近位端を支持し、センサケーブルと監視装置の感知回路とを電気的に結合するように構成される。支持装置はまた、剛体に接続され、剛体の底部側から離れて延在する一組の剛脚部も含む。支持装置はまた、一対の開口部の第１の開口部と一組の剛脚部の第１の脚部の遠位端とを電気的に結合する第１の電気トレースも含む。支持装置はまた、一対の開口部の第２の開口部と一組の剛脚部の第２の脚部の遠位端とを電気的に結合する第２の電気トレースも含む。
【０００６】
別の一般的な態様は、ウェアラブル監視装置を人の皮膚に位置付けるための外面を有するハウジング内に配置されたプリント回路基板を含む、ウェアラブル監視装置を含む。ウェアラブル監視装置はまた、プリント回路基板に接続された１つ以上の電子構成要素を含む感知回路も含む。ウェアラブル監視装置はまた、本体の一方の側部から延在する一組の脚部を有する本体を含むセンサホルダシステムも含む。センサホルダシステムは、一組の脚部を介してプリント回路基板に物理的に結合される。本体は、その中に形成された一対の導電性開口部を有する。一対の導電性開口部は、プリント回路基板に電気的に結合される。センサホルダシステムはまた、感知回路に電気的に結合され、第１の電気接続を形成するために一対の導電性開口部の第１の導電性開口部と電気的に接触している第１の部分、および第２の電気接続を形成するために一対の導電性開口部の第２の導電性開口部と電気的に接触している第２の部分を含む、センサケーブルも含む。センサホルダシステムはまた、一対のパックの第１のパックが第１の導電性開口部と電気的に接触している第１の部分を機械的に保持し、一対のパックの第２のパックが第２の導電性開口部と電気的に接触している第２の部分を機械的に保持するように、一対の導電性開口部内に設置された一対のパックも含む。
【０００７】
さらに別の一般的な態様は、人の皮膚に挿入可能な第１の部分を含むセンサケーブルを含む分析物監視システムを含み、第１の部分は、グルコース情報を生成するための手段を含む。分析物監視システムはまた、センサケーブルの第２の部分を物理的に整列させるための整列手段を含む、センサホルダシステムも含む。センサホルダシステムはまた、センサケーブルの第２の部分を物理的に保持するための保持手段も含む。センサホルダシステムはまた、整列手段および保持手段を物理的に支持するための支持手段も含む。センサホルダシステムはまた、センサケーブルの第２の部分を、人の分析物レベルを決定するためのプリント回路基板に配置された回路に電気的に結合するための結合手段も含む。
【０００８】
さらに別の一般的な態様は、センサケーブル支持装置を含む、センサケーブル支持システムを含む。センサケーブル支持装置はまた、一対の導電性開口部を有する本体も含む。センサケーブル支持装置はまた、本体の底部側から離れて延在する一組の脚部も含む。センサケーブル支持装置は、一対の導電性開口部と一組の脚部の一対の脚部の遠位端との間に延在する一対の電気トレースも含む。センサケーブル支持システムはまた、第１の電気接続を形成するために一対の導電性開口部の第１の導電性開口部と電気的に接触している第１の部分を含む、センサケーブルも含む。センサケーブルはまた、第２の電気接続を形成するために一対の導電性開口部の第２の導電性開口部と電気的に接触している第２の部分も含む。センサケーブル支持システムはまた、一対のパックであって、一対のパックの第１のパックが第１の導電性開口部と電気的に接触している第１の部分を機械的に保持し、一対のパックの第２のパックが第２の導電性開口部と電気的に接触している第２の部分を機械的に保持するように一対の導電性開口部に設置された、一対のパックも含む。
【図面の簡単な説明】
【０００９】
添付の図面は、本明細書に組み込まれてその一部を構成し、１つ以上の特定の例を示し、例の説明とともに、特定の例の原理および実装を説明するのに役立つ。
【００１０】
【図１】少なくとも１つの実施例による、センサケーブル支持装置を含むことができる監視装置の斜視図を例示する。
【図２】少なくとも１つの実施例による、頂部エンクロージャを取り外した図１の監視装置の部分分解図を例示する。
【図３】少なくとも１つの実施例による、センサケーブル支持装置の上面斜視図を例示する。
【図４】少なくとも１つの実施例による、図３のセンサケーブル支持装置の底面斜視図を例示する。
【図５】少なくとも１つの実施例による、センサケーブル支持装置を含むセンサホルダシステムの一実施例の分解斜視図を例示する。
【図６】少なくとも１つの実施例による、図５のセンサホルダシステムの底面斜視図を例示する。
【図７】少なくとも１つの実施例による、センサケーブル支持装置の上面図を例示する。
【図８】少なくとも１つの実施例による、センサケーブル支持装置の上面図を例示する。
【図９】少なくとも１つの実施例による、図８のセンサケーブル支持装置の上面斜視図を例示する。
【図１０】少なくとも１つの実施例による、一体化されたセンサケーブル支持装置を含む監視装置の部分分解図を例示する。
【発明を実施するための形態】
【００１１】
本明細書では、連続する監視装置で使用するためのセンサケーブル支持装置の文脈で実施例を説明する。当業者は、以下の説明は例示にすぎず、決して限定することを意図していないことを理解するであろう。ここで、添付の図面に示されている例の実装について詳細に言及する。同一または類似の項目を参照するために、図面および以下の説明全体を通して同一の参照指標が使用される。
【００１２】
明確にするために、本明細書に記載の実施例の慣例的な特徴のすべてが示され説明されているわけではない。当然ながら、そのような実際の実装の開発では、用途関連およびビジネス関連の制約の遵守など、開発者の特定の目標を達成するために、実装固有の多数の決定を行う必要があり、これらの具体的な目標は、実装ごと、開発者ごとに異なることが理解されるであろう。
【００１３】
例示的な実施例において、ウェアラブルグルコース監視装置（例えば、皮下監視装置などの本体装着可能な装置）またはシステムは、人のグルコース濃度を連続監視するために人の皮膚に挿入することができるグルコースセンサを含む。着用している間、ウェアラブルグルコース監視装置は、服を着る、障害物にぶつかる、および他の外力に起因する法線外力に露出され得る。これらの力の影響を低減させるために、および着用者の快適さを向上させるために、グルコース監視装置の設置面積およびプロファイルが低減され得る。低減するための方法として、本明細書で説明するグルコース監視装置は、センサケーブル支持装置を含む。センサケーブル支持装置は、種々の機能を行うことを可能にし、さらに、グルコース監視装置内の空間を効率的に利用する、独特な形状を有する。独特な形状は、本体から延在する脚部によって支持される本体によって画定される。脚部は、本体の下側でプリント回路基板（「ＰＣＢ」）に接続され、ＰＣＢから本体を離間するように機能する。センサケーブル支持装置の高さは、センサケーブルをＰＣＢから離して保持する。これは、センサケーブルが人の皮膚に向かってウェアラブルグルコース監視装置を出るときにより穏やかな曲率半径をもたらす、より長いセンサケーブルの使用を可能にする。集積回路および／または他の感知回路などの、グルコース監視装置の構成要素は、本体の下側で、本体の下に形成された空隙内に設置することができる。このように、センサケーブル支持装置は、グルコース監視装置内の空間の効率的な使用を提供する（例えば、構成要素の積み重ねを可能にし、装置の総設置面積を低減させる）。
【００１４】
センサケーブル支持装置によって行われる機能としては、センサケーブルに含まれるグルコースセンサで近位の電極を構造的に支持すること、人の皮膚に向かってグルコースセンサのセンサケーブルを整列させること、および電極をＰＣＢに電気的に接続すること、が挙げられる。センサケーブル支持装置は、センサケーブル支持装置の本体の対応する導電孔に挿入される一対の導電性エラストマーパックまたは他の類似する機械コネクタを介して、電極を構造的に支持する。電極を接続するための導電性パックおよび孔手法は、電極の高熱への露出による潜在的な損傷を回避する。そして、電極をセンサケーブル支持装置に堅固に取り付ける方法とは異なり、パックおよび孔手法は、電極および孔と比較して、パックのエラストマー特性および形状に基づく受動的な応力緩和を提供する。パックおよび孔手法はまた、導電孔に隣接しておよび／またはその中で電極を導電面に電気的に接続する。各孔は、孔から延在し、脚部を下り、ＰＣＢに接続される脚部の遠位端で終端する電気トレースを介してＰＣＢに電気的に接続される。センサケーブル支持装置はまた、孔を横断して延在する一組の溝を介してセンサケーブルを整列させる。例えば、第１の孔を横断して延在する第１の溝は、第２の孔を横断して延在する第２の溝と整列される。このように、センサケーブルの第１および第２の同軸電極を、それぞれ、第１の溝および第２の溝内で保持することができる。センサケーブル支持装置は、ウェアラブルグルコース監視装置を参照して本明細書で説明するが、センサケーブル支持装置は、任意の好適な身体装着可能な電気機械センサ（例えば、皮下監視システム、脳深部刺激装置、人工内耳、心臓ペースメーカー、生物電気装置、および他の類似する装置）を支持するために実装され得ることが理解される。
【００１５】
一実施例では、センサケーブル支持装置を説明する。センサケーブル支持装置は、各開口部が導電性パックを受容するようにサイズ決定および構成される一対の開口部を有する剛体を含む。センサケーブル支持装置はまた、剛体に取り付けられ、剛体の一方の側部から延在する一組の脚部も含む。一組の脚部は、剛体の底部分から遠位に延在する１つ以上の部材を含むことができる。例えば、部材の近位部分は、剛体の下側で剛体に接続することができる。これらの部材は、実質的に同じ方向に、下側から離れて延在させることができる。センサケーブル支持装置が装着面（例えば、監視装置のプリント回路基板）に装着されたときに、一組の脚部が、装着面から離間される配向で剛体を支持する。一組の脚部は、剛体と一体的である部材、剛体の外部にあるが剛体に接続または別様に接着された部材、および本体の下側に、かつ剛体と装着面との間に延在する他の類似する部材を含むことができる。センサケーブル支持装置はまた、一対の開口部の第１の開口部および一組の脚部の第１の脚部の遠位端を電気的に結合する第１の電気トレースも含む。例えば、第１の開口部は、開口部内に導電リングを含むことができ、第１の電気トレースは、導電リングと第１の脚部の遠位端との間に延在させることができる。いくつかの実施例では、第１の電気トレースは、レーザ直接構造化技術を使用して第１の脚部に形成される。このように、第１の電気トレースは、第１の脚部の外面で視認可能であり得る。センサケーブル支持装置はまた、一対の開口部の第２の開口部および一組の脚部の第２の脚部の遠位端を電気的に結合する第２の電気トレースも含む。第２の電気トレースは、第１の電気トレースの設計および機能に類似し得る。
【００１６】
別の実施例では、ウェアラブル監視装置を説明する。ウェアラブル装置は、個人が身に着けることができる任意の種類の装置を含むことができる；接着剤またはクリップなどの装着装置などによってユーザに物理的に取り付けることができる；装置（例えば、センサワイヤ）の一部分を着用者の皮膚に挿入すること、または着用者の皮膚の下に完全に埋め込むことなどによって、部分的または全体的に人に埋め込むことができる；などである。ウェアラブル監視装置は、ウェアラブル監視装置を人の皮膚に位置付けるための外面を有するハウジング内に配置されたプリント回路基板を含む。ウェアラブル監視装置はまた、プリント回路基板に接続された１つ以上の電子構成要素を含む感知回路、およびセンサケーブル支持システムも含む。センサケーブル支持システムは、本体の底面から離れて延在する一組の脚部を有する本体を含む。例えば、一組の脚部は、本体の底部側面で近位に接続することができ、端部は、底部側面から離れて遠位に延在する。一組の脚部はまた、底部表面の端の外周で、頂部側面の周辺縁部で、本体の一組の側壁で、および本体の任意の他の好適な位置で、近位に接続することもできる。いくつかの実施例では、本体は、ほぼ長方形の形状を有し、一組の脚部の各脚部は、本体の底部側の隅部から離れて延在する。センサケーブル支持装置は、一組の脚部を介してプリント回路基板に物理的に結合することができる。本体は、その中に形成された一対の導電性開口部を有することができる。例えば、導電性開口部は、本体を通って（例えば、頂部側から底部側まで）延在する孔とすることができ、また、孔の中および孔の外周の周囲に配置された導電めっきを含むことができる。いくつかの実施例では、導電リングは、各開口部内で嵌合される。一対の導電性開口部は、互いに電気的に絶縁することができる。各導電性開口部は、導電性開口部と脚部の１つの遠位端との間に延在する電気トレースを介して、プリント回路基板に電気的に結合することができる。センサケーブル支持システムはまた、第１および第２の電気的に絶縁された電気接続を介して感知回路に電気的に結合された２つのワイヤを含むセンサケーブルも含む。センサケーブルは、第１の電気接続を形成するために一対の導電性開口部の第１の導電性開口部と電気的に接触している第１のワイヤの第１の部分と、第２の電気接続を形成するために一対の導電性開口部の第２の導電性開口部と電気的に接触している第２のワイヤの第２の部分と、を含む。センサホルダシステムはまた、一対のパックの第１のパックが第１の導電性開口部と電気的に接触している第１のワイヤの第１の部分を機械的に保持し、一対のパックの第２のパックが第２の開口部と電気的に接触している第２のワイヤの第２の部分を機械的に保持するように、一対の導電性開口部内に設置された一対の導電性エラストマーパックも含む。
【００１７】
別の実施例では、グルコース監視装置を説明する。グルコース監視装置は、人の皮膚に挿入可能な第１の遠位部分を含むセンサケーブルであって、第１の遠位部分が、グルコース情報を生成するための手段（例えば、遠位端子を含む２つ以上のワイヤの遠位部分）を含む、センサケーブルと、センサケーブル支持システムと、を含む。センサケーブル支持システムはまた、センサケーブルの第２の部分（例えば、２つ以上のワイヤの近位部分）を物理的に整列させるための整列手段も含む。センサケーブル支持システムはまた、センサケーブルの第２の部分を物理的に保持するための保持手段も含む。センサケーブル支持システムはまた、整列手段および保持手段を物理的に支持するための支持手段も含む。グルコース監視システムはまた、センサケーブルの第２の部分を、人のグルコース濃度を決定するためのプリント回路基板に配置された回路に電気的に結合するための結合手段も含む。
【００１８】
別の実施例では、センサケーブル支持システムを説明する。センサケーブル支持システムは、その中に形成された一対の導電性開口部を有する本体を含むセンサケーブル支持装置を含む。センサケーブル支持装置はまた、本体の底部側から離れて延在する一組の脚部も含む。センサケーブル支持装置は、一対の導電性開口部と一組の脚部の一対の脚部の遠位端との間に延在する一対の電気トレースも含む。センサホルダシステムは、第１の電気接続を形成するために一対の導電性開口部の第１の導電性開口部と電気的に接触している第１の部分と、第２の電気接続を形成するために一対の導電性開口部の第２の導電性開口部と電気的に接触している第２の部分と、を含むセンサケーブルも含む。センサケーブル支持システムはまた、一対のパックの第１のパックが第１の導電性開口部と物理的に接触しているセンサケーブルの第１の部分を機械的に保持し、一対のパックの第２のパックが第２の開口部と物理的に接触しているセンサケーブルの第２の部分を機械的に保持するように、一対の開口部に設置された一対のパックも含む。
【００１９】
以下、図を参照すると、図１および図２はそれぞれ、様々な実施例による、監視装置１００の斜視図、およびバイオセンサ１０２を含む監視装置１００の部分分解図を例示する。監視装置１００は、外面において（例えば、人の皮膚に対して）身体に取り付けられるか、外面において身体に対して保持されるか、身体内に（例えば、人の皮膚の皮下に）埋め込まれるか、または任意の他の好適な様態で装着される、ウェアラブル監視装置であり得る。監視装置１００は、頂部エンクロージャ１０４と、底部エンクロージャ１０６と、湿気バリアシール領域１０８と、バイオセンサ１０２と、を含む。
【００２０】
頂部エンクロージャ１０４および底部エンクロージャ１０６はともに、バイオセンサ１０２をその中に封入するハウジングを形成する。本明細書で説明するように、下部ハウジングの一部分（例えば、底部エンクロージャ１０６）は、人の皮膚を位置付けるように適合された実質的に平面の外面を有する。上部ハウジングの一部分（例えば、頂部エンクロージャ１０４）は、人の皮膚から外方に面する滑らかな外面を含む。装着されたときに監視装置１００が人の皮膚に当たる潜在性を減少させるために、鋭い縁部を含まない滑らかな表面が望ましくなり得る。例えば、監視装置１００は、衣類の下に（例えば、人の腕に）着用することができ、滑らかな表面は、人の衣類が監視装置１００にひっかかる潜在性を減少させる。
【００２１】
バイオセンサ１０２、例えば、人の生体情報を検知する際に使用するための分析物センサ、グルコースセンサ、または他の電気機械センサは、センサケーブル支持装置１１０と、センサケーブル１１２と、感知回路１１４と、電池などの電源１１６と、プリント回路基板（「ＰＣＢ」）１１８と、アンテナ１２０と、を含む。センサケーブル１１２は、近位端部分１１２ａと、遠位端部分１１２ｂと、を含む（図６を参照されたい）。近位端部分１１２ａは、センサケーブル支持装置１１０によって支持される。例えば、近位端部分１１２ａは、センサケーブル支持装置１１０の溝またはチャネル内に配置することができ、パック１２２ａ、１２２ｂによって物理的に保持することができる。近位端部分１１２ａはまた、センサケーブル支持装置１１０を介してＰＣＢ１１８に電気的に接続される。例えば、本明細書で詳細に説明するように、センサケーブル支持装置１１０は、ＰＣＢ１１８に向かってセンサケーブル支持装置１１０の中間領域に近接して延在する、一組の電気トレースを含むことができる。ケーブル整列構造１２６はまた、センサケーブル支持装置１１０に一体化することもできる。例えば、細長い円筒脚部をセンサケーブル支持装置１１０内に形成することができ、それを通して、センサケーブル１１２がＰＣＢ１１８を通るようにそれを延在させることができる。使用する際に、１つ以上の電極を含む遠位端部分１１２ｂは、人の皮膚に注入されて、皮膚の下の皮下組織の間質液の生物学的パラメータ（例えば、グルコース濃度）を測定する。
【００２２】
センサケーブル１１２は、ＰＣＢ１１８および底部エンクロージャ１０６の底部開口部１２４を通って延在する湾曲部分を含むことができる。例示するように、ケーブル整列構造１２６は、底部開口部１２４に隣接する位置においてＰＣＢ１１８に含まれる。ケーブル整列構造１２６は、底部開口部１２４を通してセンサケーブル１１２を整列させることが可能な一対のタブ、溝、または他の構造を含むことができる。ケーブル整列構造１２６は、ＰＣＢ１１８に取り付けられる構成要素とすることができ、または底部エンクロージャ１０６の構造に一体化することができる（例えば、底部エンクロージャ１０６を形成するために使用した手法と同じ手法を使用して同時に形成することができる）。頂部エンクロージャ１０４は、底部開口部１２４の上側に配置される頂部開口部１２７を含む。頂部開口部１２７を通して挿入針を挿入して、人の皮膚の下にセンサケーブル１１２の遠位部分１１２ｂを注入することができる。いくつかの実施例では、頂部開口部１２７は、そこを通して挿入針が挿入された後に再シールすることができる、変形可能材料から形成される。このように、センサケーブル１１２は、頂部エンクロージャ１０４の湿気シールを妨げることなく注入することができる。
【００２３】
いくつかの実施例では、監視装置１００を人の皮膚に押圧しながら挿入針を底部開口部１２４内に配置することは、挿入針の適切な整列を達成して、センサケーブル１１２を人の皮膚に挿入することができる。いくつかの実施例では、底部開口部１２４は、監視装置１００を通して挿入針を案内するために使用することができるセンサ案内構造を含む。
【００２４】
センサケーブル支持装置１１０は、センサケーブル１１２を支持し、いくつかの実施例では、構造的支持をＰＣＢ１１８に提供するために適切に剛性であり得る。例えば、センサケーブル支持装置１１０は、液晶ポリマーから形成することができる。いくつかの実施例では、ＰＣＢ１１８は、フレキシブルプリント回路基板（「ＦＰＣＢ」）であり得る。この実施例では、センサケーブル支持装置１１０をＰＣＢ１１８に取り付けることは、フレキシブルＰＣＢ１１８に加えて、監視装置全体１００に剛性を加えることができる。
【００２５】
センサケーブル支持装置１１０は、相互接続装置とみなすことができる。例えば、センサケーブル支持装置１１０は、ＰＣＢ１１８から離れて立ち、また、その下に配置された構成要素（例えば、感知回路１１４、電源１１６など）の上に立てることができるので、センサケーブル支持装置１１０は、監視装置１００内の空間を節約するように機能する。これは、より小さい設置面積を有する監視装置１００をもたらすことができる。加えて、ＰＣＢ１１８に対するセンサケーブル支持装置１１０の構成のため、ＰＣＢ１１８は、スタンドオフ固定具を含む他の監視装置とは異なり、人の皮膚の近くに配置することができる。これは、向上した着用者の快適さ、およびより少ない装置全体の嵩高さを提供する。
【００２６】
いくつかの実施例では、感知回路１１４は、信号処理のために構成された１つ以上の電子部品を含む。例えば、感知回路１１４は、ＰＣＢアセンブリの表面に存在させること、または埋め込むことができるデジタル信号処理、アナログ信号処理、混合信号処理などのための任意の好適な組み合わせ構成要素を含む、システムオンチップ（「ＳＯＣ」）またはシステムインパッケージ（「ＳＩＰ」）を含むことができる。かかる構成要素としては、例えば、マイクロコントローラ、メモリ、タイミングソース、１つ以上のデジタルインターフェース、１つ以上のアナログインターフェース、クロック、電圧調整器、および／または任意の他の好適な構成要素を挙げることができる。感知回路１１４は、（例えば、ＰＣＢ１１８およびセンサケーブル支持装置１１０を介して）センサケーブル１１２から電気信号を受信し、電気信号を処理して、人のグルコース濃度を決定するように構成することができる。
【００２７】
いくつかの実施例では、感知回路１１４は、処理装置と、処理装置に結合されたランダムアクセスメモリ（「ＲＡＭ」）などのコンピュータ可読媒体とを含む。処理装置は、１つ以上のコンピュータプログラムを実行することなどの、メモリに格納されたコンピュータ実行可能なプログラム命令を実行することができる。かかる処理装置は、マイクロプロセッサ、デジタル信号プロセッサ（「ＤＳＰ」）、特定用途向け集積回路（「ＡＳＩＣ」）、フィールドプログラマブルゲートアレイ（「ＦＰＧＡ」）、ステートマシン、またはセンサケーブル１１２の電極から受信した電気信号を処理するための他の処理手段を備えることができる（例えば、図５を参照されたい）。かかる処理手段は、ＰＬＣ、プログラマブル割り込みコントローラ（「ＰＩＣ」）、プログラマブル論理デバイス（「ＰＬＤ」）、プログラマブルリードオンリーメモリ（「ＰＲＯＭ」）、電子的プログラマブルリードオンリーメモリ（「ＥＰＲＯＭ」または「ＥＥＰＲＯＭ」）、または他の類似する装置などの、プログラム可能な電子装置をさらに含むことができる。
【００２８】
処理デバイスは、処理装置によって実行したときに、処理装置によって実行または支援されるような本明細書で説明するステップを処理装置に行わせる命令を格納することができる媒体、例えば、コンピュータ可読記憶媒体を含むことができ、またはそれと通信することができる。コンピュータ可読媒体の例としては、メモリチップ、ＲＯＭ、ＲＡＭ、ＡＳＩＣ、または処理装置がそこから情報を読み出すまたは書き込むことができる任意の他の記憶手段が挙げられるが、これらに限定されない。
【００２９】
アンテナ１２０は、監視装置１００からの情報の（例えば、１つ以上の電子装置への）送信を可能にすることができる。例えば、感知回路１１４または他のものに含まれるトランシーバは、アンテナ１２０を使用して、バイオセンサ１０２によって監視されるグルコース指示値をリアルタイムで送信することができる。トランシーバはまた、アンテナ１２０を使用して、１つ以上の他の電子装置から情報（例えば、バイオセンサ１０２の設定を調整するための指示、バイオセンサ１０２のソフトウェアまたはファームウェアの更新など）を受信することができる。
【００３０】
頂部エンクロージャ１０４および底部エンクロージャ１０６はともに、湿気バリア１０８が頂部エンクロージャ１０４と底部エンクロージャ１０６との間に配置された状態で、バイオセンサ１０２を保持するためのハウジングを形成することができる。ハウジングは、人の皮膚に配置するためにコンパクトなサイズであり得る。ハウジングは、バイオセンサ１０２を収容するための任意の好適な材料で作製することができる。ハウジングに好適であり得る材料の非限定的な例としては、シリコーン、ポリエチレン、ポリ塩化ビニル（「ＰＶＣ」）、ポリプロピレン、ナイロン、ポリウレタン、ポリカーボネート、鋼、アルミニウム、ならびに他のプラスチックおよび金属が挙げられる。
【００３１】
底部エンクロージャ１０６は、監視装置１００を人の皮膚に対して配置することを可能にするために、実質的に平面の表面を含むことができる。監視装置１００は、接着剤、バンド、ストラップ、または他の固定手段を使用して皮膚に固定することができる。いくつかの実施例では、監視装置１００は、長期間（例えば、数日、数週間、数か月など）にわたって着用することができる。組み立てたときに、湿気バリア１０８は、湿気がバイオセンサ１０２に浸透するのを防ぐシールを作成することができる。加えて、底部ハウジング開口部１２４と上部ハウジング開口部１２７との間に、湿気がバイオセンサに浸透するのを防ぐ他のシールを存在させることができる。シールは、接着剤、エラストマーガスケット、またはその他で構成することができる。組み立てたときに、頂部エンクロージャ１０４は、バイオセンサ１０２を封入し、（例えば、スナップ嵌め、溶接ジョイント、またはその他によって）底部エンクロージャ１０６と嵌合する。頂部エンクロージャ１０４はまた、底部エンクロージャ１０６に接着または別様に接合することもできる。
【００３２】
図３および図４はそれぞれ、様々な実施例による、センサケーブル支持装置１１０の頂部斜視図、およびセンサケーブル支持装置１１０の底部斜視図を例示する。一種の成形された相互接続装置であるセンサケーブル支持装置１１０は、本体３０２と、一組の脚部３０４と、を含むことができる。一般に、本体３０２は、頂部側または頂面３０２ａと、底部側または底面３０２ｂと、を含む。設置すると、頂部側３０２ａが頂部エンクロージャ１０４に面し、底部側３０２ｂがＰＣＢ１１８に面する。
【００３３】
頂部側３０２ａは、実質的に平面の領域（例えば、１ｍｍ＾２超）を含むことができる。この頂部側の領域は、ロボット配置装置（例えば、ピックアンドプレース装置）の吸引ヘッドがセンサケーブル支持装置１１０を把持することを可能にするのに好適にサイズ決定し、好適に平坦にすることができる。
【００３４】
いくつかの実施例では、センサケーブル支持装置１１０は、約２ｍｍの高さ、約４ｍｍの幅、および約４ｍｍの長さを有することができる。他の実施例では、センサケーブル支持装置１１０の高さ、幅、および／または長さは、それぞれ２ｍｍ、４ｍｍ、および／または４ｍｍよりも大きく、または小さくすることができる。約２ｍｍの高さは、電源１１６の高さよりも低くなるように選択することができる。約２ｍｍの高さはまた、センサケーブル１１２の近位端部分１１２ａと、感知回路１１４およびＰＣＢ１１８に取り付けられた、または別様にその上もしくはその中に配置された他の電子構成要素との間に好適な分離を提供することもできる。
【００３５】
一組の脚部３０４は、本体３０２の一方の側部から延在し、本体３０２の下側に延在し、いくつかの実施例では、対応する一組の足部３０８を含む。例えば、本体３０２は、第１の平面に配向することができ、一組の足部３０８は、第２の異なる平面に配向することができる。一組の脚部３０４は、本体３０２を一組の足部３０８に接続するように、第１の平面と第２の平面との間に延在することができる。本体３０２は、本体３０２の実質的な部分が第１の平面に配置されたときに、第１の平面内に配向することができる。一組の足部３０８（例えば、一組の脚部３０４の遠位端）は、一組の足部３０８の実質的な一部分を第２の平面に配置するときに、第２の平面内に配向することができる。いくつかの実施例では、一組の足部３０８は、導電性パッド３１０を含むことができる。センサケーブル支持装置１１０は、導電性パッド３１０を使用して、ＰＣＢ１１８または他の構造に電気的および構造的に取り付けることができる。いくつかの実施例では、足部３０８は、表面実装技術を使用してＰＣＢ１１８に接続される。
【００３６】
本体３０２内には、一対の導電性開口部３１２を形成することができる。導電性開口部３１２は、頂部側３０２ａから底部側３０２ｂまで本体３０２を通って延在させることができる。いくつかの実施例では、導電性開口部３１２は、本体３０２を通って延在しない空洞として画定される。いずれの場合でも、導電性開口部３１２は、パック１２２を受容するようにサイズ決定および構成することができる。サイズ設定に関して、導電性開口部３１２は、長方形の断面を有することができるが、任意の他の断面形状（例えば、正方形、円形、楕円形など）を使用することできることが理解される。構成に関して、導電性開口部３１２は、パック１２２が設置されたときに、該パックが、本体３０２と接触しているセンサケーブル１１２を保持するように、パック１２２の幾何学的特徴に対応する幾何学的特徴を含むことができる。
【００３７】
図面ではハッチングで示される導電面３１４ａ、３１４ｂは、導電性開口部３１２内に配置される。導電面３１４ａは、導電性開口部３１２ａの内向き面および外向き面に塗布したまたは堆積させた導電材料を含むことができ、電気トレース３１６ａに電気的に結合することができる。電気トレース３１６ａは、導電面３１４ａから脚部３０４ａに沿って延在し、導電性パッド３１０ａと接続する。同様に、導電面３１４ｂは、導電性開口部３１２ｂの内向き面および外向き面に塗布したまたは堆積させた導電材料を含むことができ、電気トレース３１６ｂに電気的に結合することができる。電気トレース３１６ｂは、導電面３１４ｂから脚部３０４ｂに沿って延在し、導電性パッド３１０ｂと接続する。このように、導電面３１４ａおよび電気トレース３１６ａは、導電面３１４ｂおよび電気トレース３１６ｂから電気的に絶縁される。電気トレース３１６は、センサケーブル支持装置１１０の外面に沿って延在することができ、および／またはセンサケーブル支持装置１１０内に配置することができる。
【００３８】
導電面３１４ｂから導電面３１４ａを電気的にさらに絶縁するために、本体３０２内に電気保護構造３１８を形成することができる。電気保護構造３１８の目的は、導電性開口部３１２ａ、３１２ｂ間の漏電電流を最小にすることである。電気保護構造３１８は、２つの電気的に絶縁された接点の間に配置される任意の好適な空洞、チャネル、孔、開口部、または構造とすることができる。いくつかの実施例では、電気保護構造３１８は、ガードトレースのように機能して、２つのトレース間のクロストークを最小にする。
【００３９】
いくつかの実施例では、電気保護構造３１８は、頂部側３０２ａのチャネルもしくは孔、頂部側３０２ａから底部側３０２ｂまで延在する開口部、および／またはガードトレース３２０を含む。ガードトレース３２０は、図３〜図６に例示するように、後部側（図５および図６に示す）に沿って、および１つ以上の脚部３０４（例えば、３０４ｃ、３０４ｄ）に沿って、頂部側３０２ａから底部側３０２ｂまで延在させることができる。電気トレース３１６のように、ガードトレース３２０は、ガードトレース３２０をＰＣＢ１１８に電気的に結合することができる１つ以上の導電性パッド３１０（例えば、３１０ｃ、３１０ｄ）によって終端することができる。
【００４０】
溝３２２は、センサケーブル支持装置１１０の本体３０２の頂部側３０２ａに形成することができる。溝３２２は、２つの導電性開口部３１２に跨ることができる。いくつかの実施例では、溝３２２は、溝部３２２ａ−１、３２２ａ−２、３２２ｂ−１、および３２２ｂ−２を含むように画定される。溝部３２２ａは、導電性開口部３１２ａに対応し、導電性開口部３１２ａに隣接した導電面３１４ａの少なくとも一部分および頂部側３０２ａの一部分を通って延在する。同様に、溝部３２２ｂは、導電性開口部３１２ｂに対応し、導電性開口部３１２ｂに隣接した導電面３１４ｂの少なくとも一部分および頂部側３０２ａの一部分を通って延在する。溝３２２は、センサケーブル１１２に対応するようにサイズ決定される。具体的には、溝部３２２ａは、センサケーブル１１２の第１の部分（例えば、第１の断面積を有する第１の電極）に対応するようにサイズ決定され、溝部３２２ｂは、センサケーブル１１２の第２の部分（例えば、第２の断面積を有する第２の電極）に対応するようにサイズ決定される。いくつかの実施例では、溝３２２は、一貫した形状およびサイズを有する。溝部３２２ａおよび３２２ｂは、細長い直線状のセンサケーブル１１２がすべての溝部３２２ａおよび３２２ｂと接触することができるように、同軸の様態で整列させることができる。
【００４１】
溝３２２の使用は、（例えば、溝部３２２ａ−１、３２２ａ−２、３２２ｂ−１、および３２２ｂ−２において）センサケーブル１１２と導電面３１４との間の１つ以上の独立した電気接点を可能にすることができる。加えて、パック１２２も導電性であるときには、接点の数がさらに増加する。例えば、パック１２２は、導電面３１４が配置される導電性開口部３１２の１つ以上の内面と物理的に接触することができ、電気接点のためのより多くの表面を形成する。
【００４２】
センサケーブル支持装置１１０はまた、配向構造３２４も含むことができる。配向構造３２４は、組み立て中にセンサケーブル支持装置１１０を配向するおよび／もしくは整列させるために、ならびに／または頂部エンクロージャ１０４を底部エンクロージャ１０６と整列させるために使用することができる。
【００４３】
センサケーブル支持装置１１０は、例えば射出成形または他の好適な技術を含む、任意の好適な様態で形成することができる。センサケーブル支持装置１１０は、少なくとも本体３０２、脚部３０４、および／または足部３０８を含む単一片として形成することができる。センサケーブル支持装置１１０は、例えば、液晶ポリマー（例えば、ＲＴＰ  Ｃｏ．によって販売されているＲＴＰ  ３４９９−３  Ｘ  １１３３９３Ａ、Ｔｉｃｏｎによって販売されているＶＥＣＴＲＡ（登録商標）Ｅ８４０ｉ  ＬＤＳなど）、高温ナイロン、ポリエーテルエーテルケトン（「ＰＥＥＫ」）、および他の類似する材料を含む、任意の好適な材料から形成することができる。いくつかの実施例では、センサケーブル支持装置１１０のために選択される材料は、非導電性とすること、低吸湿特性を有すること、低水蒸気透過率を有することができ、また、非常に薄い壁に容易に成形することができる。いくつかの実施例では、センサケーブル支持装置１１０のために選択される材料は、ＬＤＳ処理が可能であり得る。センサケーブル支持装置１１０の剛性は、センサケーブル支持装置１１０の厚さおよびセンサケーブル支持装置１１０を形成する材料のうちの一方または両方に依存し得る。例えば、センサケーブル支持装置１１０の厚さは、材料の密度に反比例し得る（例えば、高密度の材料は、より細いセンサケーブル支持装置１１０を可能にすることができ、低密度の材料は、より厚いセンサケーブル支持装置１１０を必要とし得る）。
【００４４】
電気トレース３１６、３２０および導電面３１４（および、任意の他の導電性経路または表面）は、任意の適切な技術を使用して、センサケーブル支持装置１１０内に形成することができる。かかる技術の例としては、銅、ニッケル、金など導電材料を回路パターンに配置するためのＬＤＳ処理、および対応する技術が挙げられる。かかる技術としては、無電解銅めっきを挙げることができる。例えば、かかる技術としては、Ｅｎｔｈｏｎｅ（登録商標）によって販売されているＥｎｐｌａｔｅ（登録商標）ＬＤＳ  ＡＧ−６００を使用するものを挙げることができる。電気トレース３１６、３２０および導電面３１４は、約１ミクロンの厚さを有し得る。いくつかの実施例では、電気トレース３１６、３２０および導電面３１４は、１ミクロン未満（例えば、０．２５ミクロン〜０．５ミクロン）の厚さを有する。いくつかの実施例では、電気トレース３１６、３２０および導電面３１４は、他の表面被覆技術を使用して形成することができる。
【００４５】
図５および図６は、それぞれ、様々な実施例による、センサホルダシステム５００の頂部分解斜視図およびセンサホルダシステム５００の底部斜視図を例示する。この実施例では、センサホルダシステム５００は、センサケーブル支持装置１１０、センサケーブル１１２、およびパック１２２を含むように画定される。
【００４６】
センサケーブル１１２は、生体情報を生成するための１つ以上の電極、化学物質、または他の手段を含むことができる。例えば、センサケーブル１１２は、同軸センサとすることができ、また、人の皮膚に挿入して電極５０２ａ、５０２ｂを人の皮下組織内の間質液に露出させる２つの電極５０２ａ、５０２ｂを含むことができる。いくつかの実施例では、センサケーブル１１２は、同じ被覆内に含まれない２つ以上の別々のワイヤを含むことができる。電極５０２ｂは、白金で作製された、または白金コーティングを有するセンサケーブル１１２の少なくとも一部分を含み、電極５０２ａは、電極５０２ｂの一部を覆う銀／塩化銀（「Ａｇ／ＡｇＣｌ」）材料を含む。電極５０２ｂ、５０２ａを使用して、間質液内に存在するグルコースの量に対応する電気信号を生成することによって、人に関するグルコース情報を生成することができる。いくつかの実施例では、グルコースオキシダーゼ（「ＧＯＸ」）などの反応性物質もまた、電極５０２ｂの遠位端に被覆して、間質液内に存在するグルコースとの反応生成物を作成することができる。電圧が電極５０２ｂ、５０２ａに印加されると、グルコース／ＧＯＸ反応によって発生するこれらの反応生成物の量に基づいて、電流が発生する。電流は、センサケーブル１１２を通して感知回路１１４にルーティングされる。感知回路１１４は、電流の強度を使用して、人のグルコース濃度などのグルコース情報を決定することができる。この実施例ではグルコース濃度の測定を説明しているが、バイオセンサ１０２は、本開示の範囲から逸脱することなく、他の生物学的パラメータを測定するように構成することができる。同様に、電極５０２ｂ、５０２ａを形成するためにセンサケーブル１１２に塗布された化学材料、および電極５０２ｂ、５０２ａに被覆された反応性物質は、グルコースセンサに好適であり得るが、バイオセンサ１０２の用途に基づいて、他の材料を他の実施例に従って使用することができる。
【００４７】
センサケーブル１１２の長さは、センサケーブル１１２が、人の運動を許容しながら、人の皮膚の下からセンサケーブル支持装置１１０まで延在することを可能にすることができる。例えば、センサケーブル１１２は、約１０ミリメートル〜３０ミリメートルの長さとすることができる。センサケーブル１１２の厚さまたはゲージは、最小の不快感で、この期間中にセンサケーブル１１２を皮膚の中へ注入したままにすることを可能にするように選択することができる。いくつかの実施例では、センサケーブル１１２は、電極５０２ａとともに被覆したケーブルの一部分について約１００〜２００ミクロンの外径、および電極５０２ｂについて約１００ミクロンの外径を含む。追加の実施例では、センサケーブル１１２は、一般に、約１００ミクロン〜３００ミクロンの最大外径を有し得る。しかしながら、いくつかの実施例では、センサケーブル１１２は、約５０ミクロンの外径を有し得る。
【００４８】
図３を再度参照すると、いくつかの実施例では、溝部３２２ａで取った溝３２２を横方向に横断して取った第１の寸法測定値（例えば、幅、深さ、断面積など）は、溝部３２２ｂで取った溝３２２を横方向に横断して取った第２の寸法測定値と異なり得る。これらの違いは、電極５０２ａ、５０２ｂに適合するように溝３２２に含まれ得る。本明細書で説明するように、電極５０２ａ、５０２ｂは、異なるサイズとする（例えば、異なる直径を有する）ことができる。異なる横方向の測定値は、異なる位置におけるセンサケーブルの近位端部１１２ａのそれぞれの幅に基づいて選択することができる。例えば、センサケーブル１１２の近位端部の一方の一部分は、露出させた白金電極５０２ｂとすることができ、この白金電極は、銀／銀−塩化銀電極５０２ａで被覆した白金ワイヤを含む別の部分よりも細いゲージを有することができる。
【００４９】
図５は、分解した状態のセンサホルダシステム５００を例示し、例えば、導電性開口部３１２から取り外したときのパック１２２およびセンサケーブル１１２を例示する。図６は、結合状態のセンサホルダシステム５００を例示し、例えば、センサケーブル１１２は、溝３２２内で保持されているように例示され、パック１２２は、導電性開口部３１２内に設置されているように例示される。
【００５０】
パック１２２は、設置したときに、センサケーブル１１２とセンサケーブル支持装置１１０とを物理的に接触した状態に保持し、また、センサケーブル１１２の電極５０２と導電性開口部３１２の導電面３１４とを電気的に結合する。本明細書で説明するように、パック１２２は、導電性弾性材料（例えば、炭素を加えたシリコンエラストマーまたは他の類似する材料）から形成することができる。パック１２２は、任意の好適な技術を使用して、成形する、押し出す、打ち抜く、または別様に形成することができる。
【００５１】
各パック１２２は、スリット５０８によって分離された一対の脚部５０４−１、５０４−２を含むことができる。スリット５０８は、センサケーブル１１２の近接する端部分１１２ａを受容するように十分に大きくサイズ決定することができる。いくつかの実施例では、スリット５０８は、幅１ｍｍ未満である。スリット５０８はまた、１ｍｍよりも大きく、または小さくすることもできる。スリット５０８はまた、センサケーブル１１２の外径に形状が対応する一部分も含むことができる。例えば、スリット５０８は、センサケーブル１１２に対応するスリット５０８の頂部に、円筒形切り欠きを含むことができる。いくつかの実施例では、スリット５０８は、センサケーブル１１２の異なる直径に適合するようにサイズ決定することができる。
【００５２】
パック１２２は、導電性開口部３１２内に設置されるようにサイズ決定および構成することができる。いくつかの実施例では、パック１２２は、圧縮または別様に導電性開口部３１２の中へ圧入することができる変形可能な導電材料から形成される。導電性開口部内に入ると、パック１２２の変形可能な材料（例えば、一対の脚部５０４）は、拡大し、摩擦を使用してパック１２２を適所で保持する。いくつかの実施例では、変形可能な材料を使用するかどうかにかかわらず、脚部５０４は、保持構造５０６−１、５０６−２を含むことができる。図６に例示するように、保持構造５０６が底部側３０２ｂと嵌合するようにパック１２２が導電性開口部３１２に設置されると、保持構造５０６は、外方にばね作用することができる。このように、パック１２２は、導電性開口部３１２に「スナップ留めする」ことができる。
【００５３】
パック１２２は、手動で、および／または自動化様式で設置することができる。パック１２２は、頂部側３０２ａから、または底部側３０２ｂから設置することができる。底部側３０２ｂから設置したときに、センサケーブル１１２および溝３２２は、底部側３０２ｂに配置され得る。この配設では、センサケーブル支持装置１１０がＰＣＢ１１８に接続される前に、パック１２２を導電性開口部３１２に設置することができる。パック１２２が頂部側３０２ａから設置されるとき、センサケーブル支持装置１０２がＰＣＢ１１８に接続される前またはその後に、センサケーブル１１２をセンサケーブル支持装置１１０に接続することができる。
【００５４】
いくつかの実施例では、パック１２２の頂部側は、実質的に平面の領域（例えば、１ｍｍ＾２超）を含むことができる。この頂部側の領域は、ロボット配置デバイス（例えば、ピックアンドプレース装置）の吸引ヘッドがパック１２２を把持し、パックを導電性開口部３１２の中へ配置し、それによって、センサケーブル１１２を電気トレース３０６に物理的に支持し、電気的に結合することを可能にするように、好適にサイズ決定し、好適に平坦にすることができる。
【００５５】
図７は、少なくとも１つの実施例による、センサケーブル支持装置７１０の上面図を例示する。センサケーブル支持装置７１０は、一対の導電性開口部７１２ａ、７１２ｂを含む。導電性開口部７１２ａ、７１２ｂ内には、一対のパック７２２ａ、７２２ｂがある。図７によって例示される実施例では、パック７２２は、センサケーブル支持装置７１０の底面から設置されている。したがって、スリット７２４ａ、７２４ｂは、図７に提示される図で視認可能である。センサケーブル支持装置７１０はまた、整列溝７２６ａ、７２６ｂも含む。整列溝７２６を使用して、設置中にパック７２２を導電性開口部７１２の中へ整列させることができる。いくつかの実施例では、整列溝７２６は、設置後にパック７２２を保持するのを補助する。センサケーブル支持装置７１０はまた、導電性開口部７１２ａ、７１２ｂにそれぞれ接続される電気トレース７１６ａ、７１６ｂも含む。センサケーブル支持装置７１０はまた、導電性開口部７１２とガードトレース７２０ａ、７２０ｂとの間に配置された電気保護構造７１８も含む。いくつかの実施例では、電気保護構造７１８は、陥凹チャネルおよび／または貫通孔とすることができる。いずれの場合でも、電気保護構造７１８は、導電性導電性開口部７１２間の漏出を最小にするように機能することができる。ガードトレース７２０ａ、７２０ｂは、電気保護構造７１８に類似する機能を行うことができる。
【００５６】
図８および図９は、それぞれ、様々な実施例による、センサケーブル支持装置８１０の上面図および頂部斜視図を例示する。センサケーブル支持装置８１０は、一対の導電性開口部８１２ａ、８１２ｂを含む。導電材料で被覆されたその一部分を含む導電性開口部８１２は、電気トレース８１６ａ、８１６ｂに電気的に結合される。例示されるように、いくつかの実施例では、導電性開口部８１２の一部分のみが導電材料を含む。センサケーブル支持装置８１０はまた、整列溝８２６ａ、８２６ｂも含む。整列溝８２６を使用して、設置中にパックを導電性開口部８１２の中へ整列させることができる。いくつかの実施例では、整列溝８２６は、設置後にパックを保持するのを補助する。センサケーブル支持装置８１０はまた、電気保護構造８１８と、ガードトレース８２０と、を含む。この実施例では、ガードトレース８２０は、導電性開口部８１２の間に延在する少なくとも２つの個々のトレースを含む、より複雑なパターンを含むことができる。ガードトレース８２０はまた、電気保護構造８１８の中へ、ならびにセンサケーブル支持装置８１０の４つすべての脚部を下って、および／または２つの脚部を下って延在する。
【００５７】
図１０は、少なくとも１つの実施例による、バイオセンサ１００２の一部である一体化されたセンサケーブル支持装置１０１０を含む、監視装置１０００の部分分解図を例示する。監視装置１０００は、本明細書で説明する監視装置１００の一実施例である。したがって、監視装置１０００は、底部エンクロージャ１０６と、湿気バリア１０８と、ＰＣＢ１１８と、アンテナ１２０と、感知回路１１４と、電源１１６と、を含む。監視装置１０００のセンサケーブル支持装置は、ＰＣＢ１１８に一体化されている。具体的には、センサケーブル支持装置１０１０は、ＰＣＢ１１８と同じ様態で（例えば、同じ製造技術を使用して）印刷されている。したがって、一体化されたセンサケーブル支持装置１０１０は、それがＰＣＢ１１８に一体化されるという意味で、一体化される。
【００５８】
一体化されたセンサケーブル支持装置１０１０は、パック１２２ａ、１２２ｂを受容するようにサイズ決定および構成された一対の導電性開口部１０１２ａ、１０１２ｂを含む。いくつかの実施例では、一対の導電性開口部１０１２ａ、１０１２ｂは、ＰＣＢ１１８を通って延在しない場合がある。言い換えれば、一体化されたセンサケーブル支持装置１０１０は、ＰＣＢ１１８に効果的に直接装着されるので、導電性開口部１０１２は、パック１２２を設置することができる空洞とすることができる。本明細書で説明する他の実施例と同様に、パック１２２は、センサケーブル１１２をセンサケーブル支持装置１０１０に電気的および機械的に接続するように機能することができる。
【００５９】
以下、本開示の理解を容易にするために、さらなる実施例を説明する。
【００６０】
実施例１．この実施例では、
一対の開口部を有する剛体であって、各開口部が、導電性パックを受容するようにサイズ決定および構成され、剛体が、センサケーブルの近位端を支持し、センサケーブルと監視装置の感知回路とを電気的に結合するように構成される、剛体と、
剛体に接続され、剛体の底部側から離れて延在する一組の剛脚部と、
一対の開口部の第１の開口部と一組の脚部の第１の脚部の遠位端とを電気的に結合する第１の電気トレースと、
一対の開口部の第２の開口部と一組の脚部の第２の脚部の遠位端とを電気的に結合する第２の電気トレースと、を含む、装置を提供する。
【００６１】
実施例２．この実施例では、剛体の底部側に、または底部側の反対側にある剛体の頂部側に溝が形成され、この溝が、センサケーブルを収容するようにサイズ決定および構成される、先行または後続の実施例のいずれかに記載の装置を提供する。
【００６２】
実施例３．この実施例では、溝が、
第１の開口部に隣接して配置された第１の領域であって、第１の領域が、第１の断面積を有し、第１のワイヤを含むセンサケーブルの第１の部分を収容するようにサイズ決定された、第１の領域と、
第２の開口部に隣接して配置された第２の領域であって、第２の領域が、第２の断面積を有し、第２のワイヤを含むセンサケーブルの第２の部分を収容するようにサイズ決定された、第２の領域と、を画定し、第１の断面積が、第２の断面積と異なる、先行または後続の実施例のいずれかに記載の装置を提供する。
【００６３】
実施例４．この実施例では、一対の開口部の間に配置された電気保護構造をさらに備える、先行または後続の実施例のいずれかに記載の装置を提供する。
【００６４】
実施例５．この実施例では、電気保護構造が、一組の脚部の第３の脚部の遠位端まで延在する第３の電気トレースを備える、先行または後続の実施例のいずれかに記載の装置を提供する。
【００６５】
実施例６．この実施例では、電気保護構造が、剛体内に形成され、剛体を通って延在する保護開口部を備える、先行または後続の実施例のいずれかに記載の装置を提供する。
【００６６】
実施例７．この実施例では、一組の剛脚部が、剛体に一体化される、先行または後続の実施例のいずれかに記載の装置を提供する。
【００６７】
実施例８．この実施例では、一対の開口部が、剛体を通って延在する、先行または後続の実施例のいずれかに記載の装置を提供する。
【００６８】
実施例９．この実施例では、剛体が、導電めっきを一対の開口部内に含む、先行または後続の実施例のいずれかに記載の装置を提供する。
【００６９】
実施例１０．この実施例では、第１の開口部が、第２の開口部から電気的に絶縁される、先行または後続の実施例のいずれかに記載の装置を提供する。
【００７０】
実施例１１．この実施例では、
剛体および一組の脚部が、射出成形技術を使用して第１の材料から形成されたことを特徴とし、
第１および第２の電気トレースが、レーザ直接構造化技術を使用して形成されたことを特徴とし、第１および第２の電気トレースが、第２の材料を含む、先行または後続の実施例のいずれかに記載の装置を提供する。
【００７１】
実施例１２．この実施例では、装置であって、
ウェアラブル監視装置を人の皮膚に位置付けるための外面を有するハウジング内に配置されたプリント回路基板と、
プリント回路基板に接続された１つ以上の電子構成要素を含む感知回路と、
センサホルダシステムと、を含み、センサホルダシステムが、
本体の一方の側部から延在する一組の脚部を有する本体であって、センサホルダシステムが、一組の脚部を介してプリント回路基板に物理的に結合され、本体が、その中に形成された一対の導電性開口部を有し、一対の導電性開口部が、プリント回路基板に電気的に結合される、本体と、
感知回路に電気的に結合され、第１の電気接続を形成するために一対の導電性開口部の第１の導電性開口部と電気的に接触している第１の部分、および第２の電気接続を形成するために一対の導電性開口部の第２の導電性開口部と電気的に接触している第２の部分を含む、センサケーブルと、
一対のパックであって、一対のパックの第１のパックが第１の導電性開口部と電気的に接触している第１の部分を機械的に保持し、一対のパックの第２のパックが第２の導電性開口部と電気的に接触している第２の部分を機械的に保持するように一対の導電性開口部に設置された、一対のパックと、を含む、装置を提供する。
【００７２】
実施例１３．この実施例では、一対のパックが、導電材料から形成される、先行または後続の実施例のいずれかに記載の装置を提供する。
【００７３】
実施例１４．この実施例では、一対のパックが、一対の導電性開口部に設置されたときに、第１の電気接続および第２の電気接続に関与する、先行または後続の実施例のいずれかに記載の装置を提供する。
【００７４】
実施例１５．この実施例では、一対のパックの各パックが、スリットを画定し、第１のパックが第１の導電性開口部に設置されたときに、センサケーブルの第１の部分が、第１のパックの第１のスリット内で保持され、第２のパックが第２の導電性開口部に設置されたときに、センサケーブルの第２の部分が、第２のパックの第２のスリット内で保持される、先行または後続の実施例のいずれかに記載の装置を提供する。
【００７５】
実施例１６．この実施例では、センサケーブルが、外部ハウジング表面を超えた位置まで延在する遠位端を含む、先行または後続の実施例のいずれかに記載の装置を提供する。
【００７６】
実施例１７．この実施例では、センサケーブルの第１の部分が、第１の導電性開口部を横断して延在し、２つ以上の位置において第１の導電性開口部と物理的に接触している、先行または後続の実施例のいずれかに記載の装置を提供する。
【００７７】
実施例１８．この実施例では、センサケーブルが、第２の部分に対応する第１の部分と、第２の電極に対応する第１の電極と、を含む、先行または後続の実施例のいずれかに記載の装置を提供する。
【００７８】
実施例１９．この実施例では、センサホルダシステムが、一対の開口部の間に配置された電気保護構造をさらに含み、電気保護構造が、本体に形成された電気トレースまたは開口部のうちの少なくとも１つを含む、先行または後続の実施例のいずれかに記載の装置を提供する。
【００７９】
実施例２０．この実施例では、一対の導電性開口部が、一組の脚部の一対の脚部の遠位端と一対の導電性開口部との間に延在する一対の電気トレースを介してプリント回路基板に電気的に結合される、先行または後続の実施例のいずれかに記載の装置を提供する。
【００８０】
実施例２１．この実施例では、感知回路が、人の皮膚に挿入されたセンサケーブルの一対の電極を介して人に関する生体情報を検知するように構成される、先行または後続の実施例のいずれかに記載の装置を提供する。
【００８１】
実施例２２．この実施例では、ハウジングが、頂部エンクロージャと、底部エンクロージャと、を含み、外面が、底部エンクロージャに画定される、先行または後続の実施例のいずれかに記載の装置を提供する。
【００８２】
実施例２３．この実施例では、頂部エンクロージャが、一対のパックの外方に面する側と物理的に接触し、底部エンクロージャが、回路基板の底部側と物理的に接触する、先行または後続の実施例のいずれかに記載の装置を提供する。
【００８３】
実施例２４．この実施例では、システムであって、
人の皮膚に挿入可能な第１の部分を含むセンサケーブルであって、第１の部分が、グルコース情報を生成するための手段を含む、センサケーブルと、
センサホルダシステムと、含み、センサホルダシステムが、
センサケーブルの第２の部分を物理的に整列させるための整列手段と、
センサケーブルの第２の部分を物理的に保持するための保持手段と、
整列手段および保持手段を物理的に支持するための支持手段と、
センサケーブルの第２の部分を、人の分析物レベル（例えば、グルコースまたは他の分析物）を決定するためのプリント回路基板に配置された回路に電気的に結合するための結合手段と、を含む、システムを提供する。
【００８４】
実施例２５．この実施例では、整列手段が、溝または一組の対向するタブのうちの少なくとも１つを画定する、先行または後続の実施例のいずれかに記載のシステムを提供する。
【００８５】
実施例２６．この実施例では、保持手段が、支持手段と物理的に結合するように構成された一対の導電性パックを含む、先行または後続の実施例のいずれかに記載のシステムを提供する。
【００８６】
実施例２７．この実施例では、支持手段が、剛体とプリント回路基板との間に延在する一組の剛脚部に接続された剛体を含む、先行または後続の実施例のいずれかに記載のシステムを提供する。
【００８７】
実施例２８．この実施例では、結合手段が、支持手段に配置された１つ以上の電気トレースを含む、先行または後続の実施例のいずれかに記載のシステムを提供する。
【００８８】
実施例２９．この実施例では、グルコース情報を生成するための手段が、人の皮膚の下の間質液内に存在するグルコースの量に対応する電気信号を生成するように構成された１つ以上の電極を含む、先行または後続の実施例のいずれかに記載のシステムを提供する。
【００８９】
実施例３０．この実施例では、
センサケーブル支持装置であって、
一対の導電性開口部を有する本体と、
本体の底部側から離れて延在する一組の脚部と、
一対の導電性開口部と一組の脚部の一対の脚部の遠位端との間に延在する一対の電気トレースと、を含む、センサケーブル支持装置と、
センサケーブルであって、
第１の電気接続を形成するために一対の導電性開口部の第１の導電性開口部と電気的に接触している第１の部分と、
第２の電気接続を形成するために一対の導電性開口部の第２の導電性開口部と電気的に接触している第２の部分と、を含む、センサケーブルと、
一対のパックであって、一対のパックの第１のパックが第１の導電性開口部と電気的に接触している第１の部分を機械的に保持し、一対のパックの第２のパックが第２の開口部と電気的に接触している第２の部分を機械的に保持するように一対の開口部に設置された、一対のパックと、を含む、システムを提供する。
【００９０】
実施例３１．この実施例では、脚部のセットが、プリント回路基板に取り付けるように適合される、先行または後続の実施例のいずれかに記載のシステムを提供する。
【００９１】
実施例３２．この実施例では、センサケーブルの第１の部分が、第１の断面積によって画定され、センサケーブルの第２の部分が、第１の断面積よりも大きい第２の断面積によって画定される、先行または後続の実施例のいずれかに記載のシステムを提供する。
【００９２】
実施例３３．この実施例では、一対の溝が、本体の頂部側で形成され、一対の溝の第１の溝が、センサケーブルの第１の部分を受容するようにサイズ決定および構成され、一対の溝の第２の溝が、センサケーブルの第２の部分を受容するようにサイズ決定および構成される、先行または後続の実施例のいずれかに記載のシステムを提供する。
【００９３】
実施例３４．この実施例では、センサホルダ装置およびプリント回路基板がプリント回路基板製造法を使用して形成されるように、センサホルダ装置が、プリント回路基板に一体化される、先行または後続の実施例のいずれかに記載のシステムを提供する。
【００９４】
いくつかの例の前述の説明は、例示および説明のためにのみ提示されており、網羅的であること、または本開示を開示された正確な形態に限定することは意図されていない。本開示の本質および範囲から逸脱することなく、その多数の修正および適応が当業者には明らかであろう。
【００９５】
本明細書における一つの例または実装への言及は、例に関連して説明された特定の特徴、構造、動作、または他の特性が、本開示の少なくとも１つの実装に含まれ得ることを意味する。本開示は、そのように説明された特定の例または実装に限定されない。本明細書の様々な場所における語句「一例では（ｉｎ  ｏｎｅ  ｅｘａｍｐｌｅ）」、「一例では（ｉｎ  ａｎ  ｅｘａｍｐｌｅ）」、「一実装では（ｉｎ  ｏｎｅ  ｉｍｐｌｅｍｅｎｔａｔｉｏｎ）」、「一実装では（ｉｎ  ａｎ  ｉｍｐｌｅｍｅｎｔａｔｉｏｎ）」、またはその変形の出現は、必ずしも同じ例または実装を指すとは限らない。１つの例または実装に関して本明細書で説明されるあらゆる特定の特徴、構造、動作、または他の特性は、任意の他の例または実装に関して説明された他の特徴、構造、動作、または他の特性と組み合わせられてもよい。
【００９６】
開示された例を説明する文脈における（特に以下の特許請求の範囲の文脈における）「ａ」および「ａｎ」および「ｔｈｅ」という用語、ならびに類似の指示対象の使用は、本明細書で別途指示されない限り、または文脈によって明らかに否定されない限り、単数および複数の両方を網羅するものと解釈されたい。「備える（ｃｏｍｐｒｉｓｉｎｇ）」、「有する（ｈａｖｉｎｇ）」、「含む（ｉｎｃｌｕｄｉｎｇ）」、および「含有する（ｃｏｎｔａｉｎｉｎｇ）」という用語は、別途注記のない限り、オープンエンドの用語（すなわち、「含むが、それに限定されない」ことを意味する）として解釈されたい。「接続される（ｃｏｎｎｅｃｔｅｄ）」という用語は、何かが介在している場合であっても、部分的または全体的に含有され、取り付けられ、または互いに接合されているものとして解釈されたい。本明細書での値の範囲の列挙は、本明細書で別途指示されない限り、単に、その範囲内に入るそれぞれの値を個々に参照する簡単な方法としての役割を果たすように意図されたものであり、それぞれの値は、本明細書で個々に列挙されているかのように、本明細書に組み込まれる。本明細書で説明するすべての方法は、本明細書に別途記載のない限り、または文脈に明らかな矛盾がない限り、任意の好適な順序で行うことができる。本明細書で提供される任意のおよびすべての例、または例示的な言葉（例えば「など（ｓｕｃｈ  ａｓ）」は、単に、本開示の例をより明確にすることを意図しているにすぎず、別途特許請求されていない限り、本開示の範囲を限定するものではない。本明細書の中のいかなる言葉も、特許請求されていない何らかの要素が本開示の実践に必須であることを示すものではないと解釈されたい。
【００９７】
本明細書での「または（ｏｒ）」という言葉の使用は、包括的および排他的なＯＲ条件を網羅することが意図されている。言い換えれば、ＡまたはＢまたはＣは、特定の使用に応じて、以下の代替的組み合わせ、すなわち、Ａ単独、Ｂ単独、Ｃ単独、ＡおよびＢのみ、ＡおよびＣのみ、ＢおよびＣのみ、ならびにＡおよびＢおよびＣ、のいずれかまたはすべてを含む。
【符号の説明】
【００９８】
１００  監視装置
１０２  バイオセンサ
１０４  頂部エンクロージャ
１０６  底部エンクロージャ
１０８  湿気バリアシール領域
１１０  センサケーブル支持装置
１１２  センサケーブル
１１４  感知回路
１１６  電源
１１８  ＰＣＢ
１２０  アンテナ
１２２  パック
１２４  底部開口部
１２７  頂部開口部
３０２  本体
３０４  脚部
３１２  導電性開口部
３１４  導電面
３１６  電気トレース
３２２  溝
【図１】
2021519161.tif 000003
【図２】
2021519161.tif 000004
【図３】
2021519161.tif 000005
【図４】
2021519161.tif 000006
【図５】
2021519161.tif 000007
【図６】
2021519161.tif 000008
【図７】
2021519161.tif 000009
【図８】
2021519161.tif 000010
【図９】
2021519161.tif 000011
【図１０】
2021519161.tif 000012
【国際調査報告】
2021519161.tif 000013
2021519161.tif 000014
2021519161.tif 000015
2021519161.tif 000016